(57)【要約】【課題】フランジ部の高さが異なる複数の種類のガイドレールを固定することができるエレベータのガイドレール固定装置を得る。【解決手段】エレベータの昇降路固定体に設けられ、ガイドレール１を支持するレールブラケット２と、一端部がレールブラケット２に、他端部がガイドレール１のフランジ部１ａに接触するように、レールブラケット２に対して斜設された押え金４と、押え金４に回動自在に設けられ、レールブラケット２に対して平行に配置可能な座５とを備え、座５及びレールブラケット２に形成された貫通孔５ａ等にボルト７を挿通してレールブラケット２の背面側からナット６を螺嵌することにより、座５をレールブラケット２側に付勢して、レールブラケット２と押え金４とによってガイドレール１のフランジ部１ａを挟持する。【選択図】図３
2007331878.tif 000002
【特許請求の範囲】
【請求項１】
エレベータの昇降路固定体に設けられ、ガイドレールを支持するレールブラケットと、
一端部が前記レールブラケットに、他端部が前記ガイドレールのフランジ部に接触するように、前記レールブラケットに対して斜設された押え金と、
前記押え金に回動自在に設けられ、前記レールブラケットに対して平行に配置可能な座と、
前記レールブラケット及び前記座間に設けられ、前記レールブラケットと前記押え金とによって前記ガイドレールのフランジ部を挟持するように、前記座を前記レールブラケット側に付勢する付勢手段と、
を備えたことを特徴とするエレベータのガイドレール固定装置。
【請求項２】
座は、回動軸が上下方向となるように押え金に回動自在に設けられるとともに、回動軸と直交する方向に貫通孔が形成され、
付勢手段は、
ナットと、
前記座に形成された貫通孔に挿通されて、その一部が前記押え金の一端部及び他端部間に配置されるとともに、ネジ部が前記ナットに螺嵌されることにより、前記座を前記レールブラケット側に付勢するボルトと、
を備えたことを特徴とする請求項１に記載のエレベータのガイドレール固定装置。
【請求項３】
座にボルトの周り止めが設けられ、前記ボルトにレールブラケットの背面側からナットが螺嵌されたことを特徴とする請求項２に記載のエレベータのガイドレール固定装置。
【請求項４】
座は、押え金に着脱自在に設けられたことを特徴とする請求項１から請求項３の何れかに記載のエレベータのガイドレール固定装置。
【請求項５】
エレベータの昇降路固定体に設けられ、ガイドレールを支持するレールブラケットと、
一端部が前記レールブラケットに、他端部が前記ガイドレールのフランジ部に接触するように、前記レールブラケットに対して斜設された押え金と、
前記押え金に回動自在に設けられ、ネジ部が前記レールブラケットに対して直交するように配置可能な取付ボルトと、
前記レールブラケットの背面側から前記取付ボルトのネジ部に螺嵌されることにより、前記レールブラケットと前記押え金とによって前記ガイドレールのフランジ部を挟持するように、前記取付ボルトを前記レールブラケット側に付勢するナットと、
を備えたことを特徴とするエレベータのガイドレール固定装置。
【請求項６】
取付ボルトは、回動軸が上下方向となるように押え金に回動自在に設けられ、その一部が前記押え金の一端部及び他端部間に配置されたことを特徴とする請求項５に記載のエレベータのガイドレール固定装置。
【請求項７】
取付ボルトは、押え金に着脱自在に設けられたことを特徴とする請求項５又は請求項６に記載のエレベータのガイドレール固定装置。
【発明の詳細な説明】
【技術分野】
【０００１】
この発明は、エレベータ昇降路内にガイドレールを立設するために用いられるガイドレール固定装置に関するものである。
【背景技術】
【０００２】
エレベータのかごや釣合い重りは、昇降路内に立設されたガイドレールによって昇降方向が案内されている。図９は下記特許文献１に記載された従来のエレベータのガイドレール固定装置を示す平面図である。図９において、かごや釣合い重りを案内するガイドレール１は、昇降路固定体に設けられたレールブラケット２に、レールクリップ１０を用いて強固に固定されている。ここで、従来のレールクリップ１０は、ガイドレール１のフランジ部１ａの厚みＨに応じて複数の種類のものが用意されており、ガイドレール１の据付時に、フランジ部１ａの厚みＨに合わせて最適なものが選択されていた。
【０００３】
【特許文献１】特開昭６１−２８７６８０号公報（図４、図５）
【発明の開示】
【発明が解決しようとする課題】
【０００４】
特許文献１記載のものでは、ガイドレールのフランジ部の厚みＨに応じて多くの種類のレールクリップを用意しなければならず、コスト高の要因となるとともに、管理上も問題があった。また、フランジ部の厚みＨが小さい場合には、対応するレールクリップの判別が困難であり、ガイドレールの固定に際し、誤ったレールクリップが使用される恐れもあった。
【０００５】
この発明は、上述のような課題を解決するためになされたもので、その目的は、フランジ部の高さが異なる複数の種類のガイドレールを固定することができるエレベータのガイドレール固定装置を提供することである。
【課題を解決するための手段】
【０００６】
この発明に係るエレベータのガイドレール固定装置は、エレベータの昇降路固定体に設けられ、ガイドレールを支持するレールブラケットと、一端部がレールブラケットに、他端部がガイドレールのフランジ部に接触するように、レールブラケットに対して斜設された押え金と、押え金に回動自在に設けられ、レールブラケットに対して平行に配置可能な座と、レールブラケット及び座間に設けられ、レールブラケットと押え金とによってガイドレールのフランジ部を挟持するように、座をレールブラケット側に付勢する付勢手段とを備えたものである。
【０００７】
また、この発明に係るエレベータのガイドレール固定装置は、エレベータの昇降路固定体に設けられ、ガイドレールを支持するレールブラケットと、一端部がレールブラケットに、他端部がガイドレールのフランジ部に接触するように、レールブラケットに対して斜設された押え金と、押え金に回動自在に設けられ、ネジ部がレールブラケットに対して直交するように配置可能な取付ボルトと、レールブラケットの背面側から取付ボルトのネジ部に螺嵌されることにより、レールブラケットと押え金とによってガイドレールのフランジ部を挟持するように、取付ボルトをレールブラケット側に付勢するナットとを備えたものである。
【発明の効果】
【０００８】
この発明は、エレベータの昇降路固定体に設けられ、ガイドレールを支持するレールブラケットと、一端部がレールブラケットに、他端部がガイドレールのフランジ部に接触するように、レールブラケットに対して斜設された押え金と、押え金に回動自在に設けられ、レールブラケットに対して平行に配置可能な座と、レールブラケット及び座間に設けられ、レールブラケットと押え金とによってガイドレールのフランジ部を挟持するように、座をレールブラケット側に付勢する付勢手段とを備える構成としたことで、フランジ部の高さが異なる複数の種類のガイドレールを固定することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータのガイドレール固定装置を示す図、図２は図１（ｂ）におけるＡ部拡大図、図３は図１に示すガイドレール固定装置の取付状態を示す図である。図１乃至図３において、１はエレベータのかごや釣合い重り（図示せず）等の昇降方向を案内するガイドレール、２は昇降路壁や昇降路梁等の昇降路固定体に設けられ、ガイドレール１を支持するレールブラケット、３はガイドレール１をレールブラケット２に固定して、ガイドレール１を昇降路内に立設する固定装置である。
【００１１】
上記固定装置３は、一端部がレールブラケット２の表面に、他端部がガイドレール１のフランジ部１ａに接触するように、レールブラケット２に対して斜設された押え金４と、押え金４に回動自在に設けられ、一側面がレールブラケット２に対して平行となるように配置可能な座５と、レールブラケット２及び座５間に設けられ、レールブラケット２及び押え金４によってガイドレール１のフランジ部１ａを挟持するように、座５をレールブラケット２側に付勢する付勢手段とにより構成される。なお、実施の形態１における付勢手段は、ナット６と、座５に形成された貫通孔５ａに挿通されて、その一部が押え金４の一端部及び他端部間に配置されるとともに、ネジ部がナット６に螺嵌されることにより、座５をレールブラケット２側に付勢するボルト７とから構成される。
【００１２】
ここで、ガイドレール１の固定に際しては、先ず、押え金４の一端部がレールブラケット２の表面に、他端部がガイドレール１のフランジ部１ａに同方向から接触するように上記押え金４を配置する。なお、押え金４を上記配置にすることにより、押え金４の一端部がガイドレール１のフランジ部１ａの高さ分、他端部よりもレールブラケット２の表面から離れた位置に配置される。即ち、押え金４がレールブラケット２に対して斜設される。そして、座５の一側面側から、ボルト７を座５に形成された貫通孔５ａとレールブラケット２に形成された貫通孔（図示せず）とに挿通した後、レールブラケット２の裏面側からボルト７の先端ネジ部にナット６を螺嵌させてボルト７を締め付ける。かかる動作により、ボルト７の頭部によって座５をレールブラケット２側に付勢し、レールブラケット２と押え金４とによってガイドレール１のフランジ部１ａを強固に挟持する。
【００１３】
ここで、上記押え金４は、中央部に略四角形状の中空部４ａが形成された略四角環状を呈しており、中空部４ａを間に挟んで両側に配置された部分に、押え金４の一側面から中空部４ａの深さ方向で、且つ同方向に突出する凸部４ｂ及び４ｃが設けられている。なお、上記凸部４ｂ及び４ｃは、それぞれ所定の幅を有して互いに略平行に設けられており、各先端部が湾曲状に形成されてそれぞれ蒲鉾状を呈している。また、凸部４ｂ及び４ｃは、押え金４の一側面からの突出量が互いに異なり、押え金４の一端部に設けられた凸部４ｂの突出量は、他端部に設けられた凸部４ｃの突出量よりも大きくなるように構成されている。一方、凸部４ｂ及び４ｃが突出する一側面に対して反対面となる押え金４の他側面には、略Ｕ字状を呈する溝４ｄ及び４ｅが、中空部４ａを間に挟んで略一直線状となるように、凸部４ｂ及び４ｃに対して略平行に形成されている。即ち、上記溝４ｄ及び４ｅは、その深さ方向が凸部４ｂ及び４ｃの突出方向と同じになるように形成されている。
【００１４】
そして、上記構成を有する押え金４は、ガイドレール１の固定時に、凸部４ｂがレールブラケット２の表面に、凸部４ｃがガイドレール１のフランジ部１ａにそれぞれ同方向から接触するように配置されるとともに、溝４ｄ及び４ｅが略鉛直方向に配置される。
【００１５】
一方、上記座５は、略直方体状を呈する座部５ｂの両側面から、略円柱状の支持ピン５ｃ及び５ｄが略一直線状に突設されている。ここで、上記支持ピン５ｃ及び５ｄは、座部５ｂを貫通する上記貫通孔５ａの両側に配置されるとともに、支持ピン５ｃ及び５ｄの軸が貫通孔５ａの中心軸と略直交するように配置される。また、上記座部５ｂは、押え金４に形成された中空部４ａ内に配置可能な大きさを有している。
【００１６】
上記構成を有する座５は、ガイドレール１の固定時に、支持ピン５ｃが押え金４の他側面側から溝４ｄ内に、支持ピン５ｄが押え金４の他側面側から溝４ｅ内に配置されることにより、座部５ｂの全部又は一部が押え金４の中空部４ａ内に配置されるとともに、その回動軸が上下方向となるように、座部５ｂが支持ピン５ｃ及び５ｄを中心として押え金４に対して回動自在に支持される。そして、上記状態において、貫通孔５ａに挿通されたボルト７が、レールブラケット２の裏面側のナット６に締結固定される。したがって、ボルト７の締結時、押え金４は、ガイドレール１のフランジ部１ａの高さＨに合わせてレールブラケット２に対して斜設されるが、座５はボルト７の頭部に付勢されることによって、レールブラケット２に対して略平行に配置される。
【００１７】
この発明の実施の形態１によれば、座５が押え金４に対して回動自在に支持され、押え金４の配置に関らずレールブラケット２に対して略平行に配置可能なため、ある程度の範囲の高さＨに対して１つの固定装置３で対応可能である。このため、固定装置３の種類を抑え、コスト低減を図ることが可能となる。また、簡単な構成であるため、製造コストも抑えることができる。なお、座５が押え金４に対して着脱自在に構成されているため、ボルト７のサイズ違いにも座５の交換によって容易に対応できる。
【００１８】
なお、実施の形態１においては、押え金４に溝４ｄ及び４ｅが形成され、座５に支持ピン５ｃ及び５ｄが設けられた場合について説明したが、座５が押え金４に着脱自在であり、且つ、所定の方向に回動自在に支持されていれば、実施の形態１と同様の効果を奏することは可能である。したがって、図４に示すように、中空部４ａ内に略一直線状に突出する支持ピン４ｆ及び４ｇを押え金４に設け、支持ピン４ｆ及び４ｇに対応する溝５ｅ（一方は図示せず）を座５に形成しても良い。
【００１９】
実施の形態２．
図５はこの発明の実施の形態２におけるエレベータのガイドレール固定装置を示す図である。図５において、座５は実施の形態１と同様の構成を有し、座部５ｂに貫通孔５ａが形成され、その両側に支持ピン５ｃ及び５ｄが略一直線状に設けられている。一方、押え金４には、貫通孔４ｈ及び４ｊが、中空部４ａを間に挟んで略一直線状となり、且つ、凸部４ｂ及び４ｃに対して略平行に設けられている。そして、座５の支持ピン５ｃが押え金４の貫通孔４ｈに、支持ピン５ｄが貫通孔４ｊに挿通されることにより、押え金４と座５が一体的に構成され、且つ、座５が支持ピン５ｃ及び５ｄを中心に押え金４に対して回動自在に支持される。
【００２０】
この発明の実施の形態２によれば、押え金４と座５とが一体的に構成されるため、ボルト７の締結時に座５が押え金４から外れてしまう恐れがなく、ガイドレール１の据付作業性を向上させることが可能である。したがって、使用頻度の高い固定装置３に対しては、特に有効な手段となる。その他は、実施の形態１と同様の構成及び効果を有する。
【００２１】
実施の形態３．
図６はこの発明の実施の形態３におけるエレベータのガイドレール固定装置を示す図である。なお、図６に示すガイドレール固定装置の取付状態を示す図は省略する。実施の形態３における固定装置３は、一端部がレールブラケット２の表面に、他端部がガイドレール１のフランジ部１ａに接触するように、レールブラケット２に対して斜設された押え金４と、押え金４に回動自在に設けられ、ネジ部がレールブラケット２に対して直交するように配置可能な取付ボルト９と、レールブラケット２の背面側から取付ボルト９のネジ部に螺嵌されることにより、レールブラケット２及び押え金４によってガイドレール１のフランジ部１ａを挟持するように、取付ボルト９をレールブラケット２側に付勢するナット６とから構成される。
【００２２】
ここで、ガイドレール１の固定に際しては、先ず、押え金４の一端部がレールブラケット２の表面に、他端部がガイドレール１のフランジ部１ａに同方向から接触するように上記押え金４を配置するとともに、取付ボルト９をレールブラケット２に形成された貫通孔（図示せず）にレールブラケット２の表面側から挿通する。なお、取付ボルト９をレールブラケット２に形成された貫通孔に挿通することにより、取付ボルト９の一部が押え金４の一端部及び他端部間に配置される。そして、レールブラケット２の裏面側から取付ボルト９のネジ部にナット６を螺嵌させることにより、取付ボルト９をレールブラケット２側に付勢し、レールブラケット２と押え金４とによってガイドレール１のフランジ部１ａを強固に挟持する。
【００２３】
ここで、押え金４は実施の形態２のものと同様の構成を有し、中空部４ａを間に挟んで略一直線状に貫通孔４ｈ及び４ｊが形成されている。また、上記取付ボルト９は、略直方体状を呈する頭部の両側に、円柱状の支持ピン９ａ及び９ｂが略一直線状に設けられており、支持ピン９ａ及び９ｂの軸が、取付ボルト９のネジ部の軸方向と直交するように配置されている。そして、支持ピン９ａが上記貫通孔４ｈに、支持ピン９ｂが貫通孔４ｊに挿通されることにより、押え金４と取付ボルト９とが一体的に構成され、且つ、ガイドレール１の固定時にその回動軸が上下方向となるように、取付ボルト９が支持ピン９ａ及び９ｂを中心に押え金４に対して回動自在に支持される。
【００２４】
この発明の実施の形態３によれば、押え金４と取付ボルト９とが一体的に構成されているため、固定装置３の高さを低減させることが可能となる。このため、エレベータのかごに設けられた周辺機器（例えば、ガイドシュー等）と固定装置３とのクリアランスを大きくすることができる。なお、上記構成を有する場合には、ガイドレール１の固定は、レールブラケット２の背面側から取付ボルト９の先端ネジ部にナット６を締め付けることによって実施する。したがって、レールブラケット２の背面側に大きな取付スペースを確保できる場合には、作業性を向上させることができ、特に有効な手段となる。その他の構成及び効果は、実施の形態２と同様である。また、取付ボルト９を押え金４に着脱自在に構成することにより、実施の形態１と同様の効果を奏することも可能である。
【００２５】
実施の形態４．
図７はこの発明の実施の形態４におけるエレベータのガイドレール固定装置を示す図、図８は図７に示すガイドレール固定装置の取り付けを説明するための図である。図７及び図８において、押え金４は、実施の形態１と同様の構成を有し、中空部４ａを間に挟んで略一直線状に溝４ｄ及び４ｅが形成されている。また、座５には、座部５ｂに貫通孔５ａが形成され、その両側に支持ピン５ｃ及び５ｄが設けられるとともに、座部５ｂの一側面にボルト７の周り止め５ｆが設けられている。
【００２６】
この発明の実施の形態４によれば、ボルト７の周り止め５ｆが設けられているため、ガイドレール１の据付時における作業性を向上させることが可能となる。なお、かかる場合も実施の形態３と同様に、ガイドレール１の固定は、レールブラケット２の背面側からボルト７の先端ネジ部にナット６を締め付けることによって実施する。その他の構成は、実施の形態１及び２と同様である。
【図面の簡単な説明】
【００２７】
【図１】この発明の実施の形態１におけるエレベータのガイドレール固定装置を示す図である。
【図２】図１（ｂ）におけるＡ部拡大図である。
【図３】図１に示すガイドレール固定装置の取付状態を示す図である。
【図４】この発明の実施の形態１におけるエレベータのガイドレール固定装置の他の構成を示す分解斜視図である。
【図５】この発明の実施の形態２におけるエレベータのガイドレール固定装置を示す図である。
【図６】この発明の実施の形態３におけるエレベータのガイドレール固定装置を示す図である。
【図７】この発明の実施の形態４におけるエレベータのガイドレール固定装置を示す図である。
【図８】図７に示すガイドレール固定装置の取り付けを説明するための図である。
【図９】従来のエレベータのガイドレール固定装置を示す平面図である。
【符号の説明】
【００２８】
１  ガイドレール
１ａ  フランジ部
２  レールブラケット
３  固定装置
４  押え金
４ａ  中空部
４ｂ、４ｃ  凸部
４ｄ、４ｅ、５ｅ  溝
４ｆ、４ｇ、５ｃ、５ｄ、９ａ、９ｂ  支持ピン
４ｈ、４ｊ  貫通孔
５  座
５ａ  貫通孔
５ｂ  座部
５ｆ  周り止め
６  ナット
７  ボルト
８  ワッシャ
９  取付ボルト
１０  レールクリップ
【図１】
2007331878.tif 000003
【図２】
2007331878.tif 000004
【図３】
2007331878.tif 000005
【図４】
2007331878.tif 000006
【図５】
2007331878.tif 000007
【図６】
2007331878.tif 000008
【図７】
2007331878.tif 000009
【図８】
2007331878.tif 000010
【図９】
2007331878.tif 000011